(57)【要約】      （修正有）【課題】より時刻と潮位との間の関係性がユーザにとって把握しやすい表示を行うことが可能な電子機器を提供する。【解決手段】携帯端末は、潮位情報取得部５２と、出力部１９と、出力制御部５４と、を備える。潮位情報取得部５２は、潮位情報を取得する。出力部１９は、外周縁に時刻情報に対応する目盛りで表示する。出力制御部５４は、目盛りで表示した時刻情報に対応付けて、潮位情報取得部５２によって取得された潮位情報を出力部１９に表示させる。したがって、携帯端末では、より時刻と潮位との間の関係性がユーザにとって把握しやすい表示を行うことができる。【選択図】図４
2018004385.tif 000002
【特許請求の範囲】
【請求項１】
潮位情報を取得する取得手段と、
外周縁に時刻情報に対応する目盛りを表示する表示手段と、
前記目盛りで表示した前記時刻情報に対応付けて、前記取得手段によって取得された前記潮位情報を前記表示手段に表示させる表示制御手段と、
を備えることを特徴とする電子機器。
【請求項２】
前記表示制御手段は、前記潮位情報に基づいて、前記外周縁に沿って前記潮位情報を連続的に表示させるように前記表示手段を制御する、
ことを特徴とする請求項１に記載の電子機器。
【請求項３】
前記表示制御手段は、前記潮位情報に基づいて、潮位の高低に応じて、前記外周縁から所定の距離離れた位置に、前記潮位情報に対応する画像を表示させるように前記表示手段を制御する、
ことを特徴とする請求項１又は２に記載の電子機器。
【請求項４】
前記表示制御手段は、前記表示手段に所定の時間単位で前記所定の時刻情報を表示させ、且つ、当該表示される前記時刻情報の範囲内における干潮又は満潮を時刻に対応して表示させるように制御する、
ことを特徴とする請求項１乃至３の何れか１項に記載の電子機器。
【請求項５】
前記表示制御手段は、前記表示手段の所定位置に現在の時刻情報を表示させ、前記現在の時刻情報が表示される位置を始点として、時刻経過に対応した前記目盛りの位置に未来の潮位情報を表示させるように前記表示手段を制御する、
ことを特徴とする請求項１乃至４の何れか１項に記載の電子機器。
【請求項６】
前記表示制御手段は、前記時刻情報を外周縁に目盛りで表示させるように前記表示手段を制御する、
ことを特徴とする請求項１乃至５の何れか１項に記載の電子機器。
【請求項７】
取得される潮位情報間の潮位情報を推定する推定手段を、さらに備え、
前記表示制御手段は、前記推定手段によって前記推定した潮位情報に基づいて、前記目盛りで表示した前記時刻情報に対応付けて、前記潮位情報を前記表示手段に表示させる、
ことを特徴とする請求項１乃至６の何れか１項に記載の電子機器。
【請求項８】
前記表示制御手段は、所定の時刻、又は、所定の間隔で潮位情報を前記表示手段に表示させる、
ことを特徴とする請求項１乃至７の何れか１項に記載の電子機器。
【請求項９】
表示手段を備える電子機器で実行される表示制御方法であって、
潮位情報を取得する取得ステップと、
外周縁に時刻情報に対応する目盛りを前記表示手段に表示し、前記目盛りで表示した前記時刻情報に対応付けて、当該取得ステップによって取得された前記潮位情報を前記表示手段に表示させる表示制御ステップと、
を含むことを特徴とする表示制御方法。
【請求項１０】
表示手段を備える電子機器を制御するコンピュータを、
潮位情報を取得する取得手段、
外周縁に時刻情報に対応する目盛りを前記表示手段に表示し、前記目盛りで表示した前記時刻情報に対応付けて、当該取得手段によって取得された前記潮位情報を前記表示手段に表示させる表示制御手段、
として機能させることを特徴とするプログラム。
【発明の詳細な説明】
【技術分野】
【０００１】
本発明は、電子機器、表示制御方法及びプログラムに関する。
【背景技術】
【０００２】
従来より、時間軸と潮位軸を備えたマトリクスで潮位グラフを表示する技術がある（特許文献１参照）。
【先行技術文献】
【特許文献】
【０００３】
【特許文献１】特開２００３−５７３７０号公報
【発明の概要】
【発明が解決しようとする課題】
【０００４】
しかしながら、上述した特許文献１に記載された技術では、時間軸と潮位軸のマトリクスによる表示をしているために、アナログ針による円形文字盤での時刻表示に慣れているユーザにとっては時間と潮位の関係性を把握しづらいという問題がある。
【０００５】
本発明は、このような状況に鑑みてなされたものであり、より時刻と潮位との間の関係性がユーザにとって把握しやすい表示を行うことを目的とする。
【課題を解決するための手段】
【０００６】
上記目的を達成するため、本発明の一態様の電子機器は、
潮位情報を取得する取得手段と、
外周縁に時刻情報に対応する目盛りを表示する表示手段と、
前記目盛りで表示した前記時刻情報に対応付けて、前記取得手段によって取得された前記潮位情報を前記表示手段に表示させる表示制御手段と、
を備えることを特徴とする。
【発明の効果】
【０００７】
本発明によれば、より時刻と潮位との間の関係性がユーザにとって把握しやすい表示を行うことができる。
【図面の簡単な説明】
【０００８】
【図１】本発明の電子機器の一実施形態に係る携帯端末１のハードウェアの構成を示すブロック図である。
【図２】潮位表示画面におけるグラフ表示を説明するための模式図である。
【図３】潮位表示画面の表示例を示す模式図である。
【図４】図１の携帯端末１の機能的構成のうち、潮位表示画面描画処理を実行するための機能的構成を示す機能ブロック図である。
【図５】図４の機能的構成を有する図１の携帯端末１が実行する潮位表示画面描画処理の流れを説明するフローチャートである。
【図６】潮位表示画面の他の表示例を示す模式図である。
【発明を実施するための形態】
【０００９】
以下、本発明の実施形態について、図面を用いて説明する。
【００１０】
図１は、本発明の電子機器の一実施形態に係る携帯端末１のハードウェアの構成を示すブロック図である。
携帯端末１は、例えば、スマートウォッチとして構成される。
【００１１】
携帯端末１は、図１に示すように、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、計時部１７と、入力部１８と、出力部１９と、記憶部２０と、通信部２１と、ドライブ２２と、を備えている。
【００１２】
ＣＰＵ１１は、ＲＯＭ１２に記録されているプログラム、又は、記憶部２０からＲＡＭ１３にロードされたプログラムに従って各種の処理を実行する。
【００１３】
ＲＡＭ１３には、ＣＰＵ１１が各種の処理を実行する上において必要なデータ等も適宜記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、計時部１７、入力部１８、出力部１９、記憶部２０、通信部２１及びドライブ２２が接続されている。
【００１５】
撮像部１６は、図示はしないが、光学レンズ部と、イメージセンサと、を備えている。
【００１６】
光学レンズ部は、被写体を撮影するために、光を集光するレンズ、例えばフォーカスレンズやズームレンズ等で構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１７】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、デジタル信号が生成され、撮像部１６の出力信号として出力される。
このような撮像部１６の出力信号を、以下、「撮像画像のデータ」と呼ぶ。撮像画像のデータは、ＣＰＵ１１や図示しない画像処理部等に適宜供給される。
【００１８】
計時部１７は、ＣＰＵ１１の指示に応じて現在の時刻を計時し、日付等と共に日時情報を出力する。
入力部１８は、各種釦等で構成され、ユーザの指示操作に応じて各種情報を入力する。
出力部１９は、ディスプレイやスピーカ等で構成され、画像や音声を出力する。
記憶部２０は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２１は、インターネットを含むネットワークを介して他の装置（図示せず）との間で行う通信を制御する。
【００１９】
ドライブ２２には、磁気ディスク、光ディスク、光磁気ディスク、或いは半導体メモリ等よりなる、リムーバブルメディア３１が適宜装着される。ドライブ２２によってリムーバブルメディア３１から読み出されたプログラムは、必要に応じて記憶部２０にインストールされる。また、リムーバブルメディア３１は、記憶部２０に記憶されている画像のデータ等の各種データも、記憶部２０と同様に記憶することができる。
【００２０】
このように構成される携帯端末１では、時刻に対応した特定の場所における潮位を表示することができる機能を有する。
スマートウォッチとして構成される本実施形態の携帯端末１においては、例えば、通常、時計のみを表示するモードから、潮位を表示するモードに変更することで、潮位を表示する画面（以下、「潮位表示画面」という。）が表示される。
潮位表示画面では、潮位を模式的にグラフ化した表示（以下、「グラフ表示」という。）が行われる。
【００２１】
図２は、潮位表示画面におけるグラフ表示を説明するための模式図である。
グラフ表示では、図２（ａ）に示すように、円形形状の表示画面に表示され、画面の周縁部Ｒに沿って、現在時刻を始点として時刻が設定される。詳細には、現在時刻を所定の位置（図中真上方向）とし、現在時刻を始点として１周を２４時間として時刻が扱われる。
また、設定された時刻に対応して、現在時刻から２４時間先までの時刻が２時間置きにインデックスＩｎｄ（本実施形態においては、時間の数値）の目盛りで表示される。即ち、時計でいう文字盤の真上の位置（時計において１２時を示す位置）を始点にして右回り方向に２４時間先までのインデックスＩｎｄの目盛りが２時間置きに表示される。この際、目盛りのインデックスの数値は、表示領域の中心に向けて対応して周縁部Ｒに沿って配置される。
【００２２】
潮位ＴＳは、設定された時刻に対応した位置に、周縁部Ｒとの距離によって表現される。
具体的には、潮位ＴＳは、図２（ｂ）に示すように、所定の時刻に対応する周縁部Ｒ１と表示領域の中心Ｃの間の領域において、周縁部Ｒ１からの距離で表現される。即ち、グラフ表示における潮位ＴＳは、対応する時刻の周縁部Ｒ１からの距離が狭い程（ＴＳ１）、潮位が低くなり、距離が広い程（ＴＳ２）、潮位が高いことを示すように表示される。
なお、本実施形態において、潮位ＴＳは、周縁部Ｒからの距離と、潮位の値とが対応付けられて絶対的なスケールで表示される。即ち、潮位が○○ｃｍであった場合には、時刻に対応する周縁部Ｒからの距離が所定の距離になるように構成される。
【００２３】
このように表示される潮位ＴＳは、現在時刻から２４時間先までの時刻全体で連続的に表示される。
【００２４】
また、潮位ＴＳの満潮と干潮に対応する位置に満潮と干潮を示すアイコン（以下、「満潮アイコンＬ１／干潮アイコンＬ２」という。）が表示される。満潮アイコンＬ１／干潮アイコンＬ２は、水滴を模した形状をしており、満潮アイコンＬ１の場合には、潮位の高い方向を先端とし、干潮アイコンＬ２の場合には、潮位の低い方向を先端として表示される。また、満潮アイコンＬ１／干潮アイコンＬ２は、異なる色で表示され、満潮アイコンＬ１には潮位が高いＨＩＧＨを示す「Ｈ」の文字が表示され、干潮アイコンＬ２には潮位が低いＬＯＷを示す「Ｌ」の文字が表示される。
【００２５】
また、現在時刻の位置には、現在位置を示すアイコン（以下、「現在時刻アイコン」という。）Ｌ３が表示される。
また、現在時刻の位置（現在時刻アイコンＬ３の背面）には、バーＢｒが表示される。このバーＢｒによって、現在時刻の位置が強調されると共に、現在時刻と２４時間後の時刻の境目を表示することができる。現在時刻の潮位と２４時間先の時刻の潮位とは、異なるものとなるため潮位の連続性が保たれなくなるが、バーＢｒによって結果として潮位の差を違和感なく表示することができる。
【００２６】
このように構成されるグラフ表示では、現在の時刻の潮位から２４時間先までの潮位が表示され、満潮と干潮も表示される。このため、ユーザは、所定の場所における現在の潮位と、２４時間先までの潮位の変遷を１画面で確認することができる。
また、ユーザは、グラフ表示によって連続的に潮位が表示されているために、グラフ表示だけ確認しても、他の時刻との相対的な潮位の差を簡単に認識することができる。
【００２７】
このように構成されるグラフ表示では、円形形状に対応して潮位に対応する時刻の時間軸を周状に配置しており、時計と同じ使用感で時間の経過を認識することができる。また、周縁部からの距離で潮位を連続的に表示しているために表示される全時間の潮位の変遷を簡単に把握することができる。
また、インデックスが表示領域の中心に対応して配置されることで、中心方向が認識しやすくなり、インデックスが表示された時刻における潮位を簡単に把握することができる。
【００２８】
図３は、潮位表示画面の表示例を示す模式図である。
最終的に本実施形態の潮位表示画面ＤＳでは、図３に示すように、グラフ表示の他に、グラフ表示の背面に背景が表示され、グラフ表示の前面に現在の日時及び潮位の数値の表示（以下、「デジタル表示」という。）が行われる。
【００２９】
背景には、潮位のイメージを連想させる水面の画が表示される。水面の画を表示させることで、潮位を表示する画面であることを簡単に把握させることができ、表示全体のイメージをより早く掴むことができる。
【００３０】
デジタル表示では、現在の時刻、日付、曜日、午前／午後、潮位の値が表示される。潮位の値は、現在属する潮位の時間帯に合わせて、表示色を変更する。即ち、潮位の時間帯が満潮の時間帯である場合には、満潮アイコンＬ１と同じ色で表示し、潮位の時間帯が干潮の時間帯である場合には、干潮アイコンＬ２と同じ色で表示する。
【００３１】
したがって、ユーザは、デジタル表示で現在時刻の潮位の値に基づいて、グラフ表示の現在時刻の潮位のスケールを一致させて、他の時刻の潮位を確認することで、絶対的な潮位でグラフ表示を確認することができる。
【００３２】
図４は、図１の携帯端末１の機能的構成のうち、潮位表示画面描画処理を実行するための機能的構成を示す機能ブロック図である。
潮位表示画面描画処理とは、所定の場所における現在時刻から２４時間先までの潮位を描画して出力部１９に表示させる一連の処理をいう。
【００３３】
潮位表示画面描画処理を実行する場合には、図４に示すように、ＣＰＵ１１において、日時情報取得部５１と、潮位情報取得部５２と、潮位スケール決定部５３と、出力制御部５４と、が機能する。
【００３４】
また、記憶部２０の一領域には、潮位情報記憶部７１と、画面構成画像記憶部７２と、が設定される。
【００３５】
潮位情報記憶部７１には、予測される潮位の情報（以下、「潮位情報」という。）が場所毎に記憶される。潮位情報には、各時間の潮位と、満潮と干潮の時間とを含む。
【００３６】
画面構成画像記憶部７２には、例えば、各種アイコン等の画面を構成する画像（以下、「画面構成画像」という。）が記憶される。本実施形態においては、画面構成画像記憶部７２には、背景画像、干潮・満潮・現在時刻アイコン、インデックス、バー、デジタル表示に用いる数字等の潮位表示画面の描画に用いる画像が記憶される。
【００３７】
日時情報取得部５１は、計時部１７から現在の日時情報を取得する。
【００３８】
潮位情報取得部５２は、潮位情報記憶部７１から所定の場所と時間の潮位情報を取得する。
潮位情報取得部５２は、例えば、予め設定した任意の場所における現在時刻から２４時間の潮位情報を潮位情報記憶部７１から取得する。
【００３９】
潮位スケール決定部５３は、グラフ表示における潮位の位置である潮位スケールを決定する。
潮位スケール決定部５３は、例えば、表示対象となる各時刻の潮位に基づいて、対応する時刻の周縁部からの距離を算出して、潮位スケールを決定する。
【００４０】
出力制御部５４は、画面構成画像記憶部７２に記憶される画面構成画像を用いて、描画処理をして画像等を表示出力するように出力部１９を制御する。
具体的には、出力制御部５４は、画面構成画像記憶部７２に記憶される画面構成画像を用いて、潮位表示画面全体に背景を描画するように出力部１９を制御する。また、出力制御部５４は、グラフ表示部分として、潮位スケール決定部５３によって決定された潮位スケールに基づいて、潮位ＴＳを描画し、画面構成画像記憶部７２に記憶される画面構成画像を用いて、現在時刻を基準にして２４時間先までの時刻のインデックス、対応箇所に干潮・満潮・現在時刻アイコン等を描画するように出力部１９を制御する。また、画面構成画像記憶部７２に記憶される画面構成画像を用いて、デジタル表示部分として、現在の日時と、現在時刻の潮位を数値で描画するように出力部１９を制御する。
【００４１】
図５は、図４の機能的構成を有する図１の携帯端末１が実行する潮位表示画面描画処理の流れを説明するフローチャートである。
潮位表示画面描画処理は、ユーザによる入力部１８への潮位表示画面描画処理開始の操作により開始される。
【００４２】
ステップＳ１１において、日時情報取得部５１は、現在の日時情報を計時部１７から取得する。
【００４３】
ステップＳ１２において、潮位情報取得部５２は、日時情報取得部５１によって取得された現在の日時情報に基づいて、所定の場所における現在の日時から２４時間先までの潮位情報（干潮・満潮を含む）を潮位情報記憶部７１から取得する。
【００４４】
ステップＳ１３において、潮位スケール決定部５３は、潮位情報取得部５２によって取得された所定の場所における現在の日時から２４時間先までの潮位情報に基づいて、各時刻における潮位スケールを決定する。潮位スケール決定部５３は、例えば、各時刻における潮位に基づいて、周縁部からの距離を算出して、潮位スケールを決定する。
【００４５】
ステップＳ１４において、出力制御部５４は、潮位表示画面における背景を描画するように出力部１９を制御する。
出力制御部５４は、図３の例に示すように、画面構成画像記憶部７２に記憶される画面構成画像を用いて、潮位表示画面全体に背景を描画するように出力部１９を制御する。
【００４６】
ステップＳ１５において、出力制御部５４は、潮位表示画面におけるグラフ表示部分を描画するように出力部１９を制御する。
出力制御部５４は、グラフ表示部分として、図２（ａ）の例に示すように、潮位スケール決定部５３によって決定された潮位スケールに基づいて、潮位ＴＳを描画し、画面構成画像記憶部７２に記憶される画面構成画像を用いて、現在時刻を基準にして２４時間先までの時刻のインデックスＩｎｄ、対応箇所に干潮・満潮・現在時刻アイコンＬ１，Ｌ２，Ｌ３等を描画するように出力部１９を制御する。
【００４７】
ステップＳ１６において、出力制御部５４は、取得したデジタル表示部分を描画するように出力部１９を制御する。
出力制御部５４は、例えば、画面構成画像記憶部７２に記憶される画面構成画像を用いて、デジタル表示部分として、図３の例に示すように、現在の日時と、現在時刻の潮位を数値で描画するように出力部１９を制御する。ステップＳ１３〜ステップＳ１５での描画処理の結果、出力部１９では、図３に示すような最終的な潮位表示画面が表示出力される。
その後、潮位表示画面描画処理は終了する。
なお、本実施形態において、背景部分、グラフ表示部分、デジタル表示部分の順で描画するように構成したが、描画の順番や手法に関しては、種々設定可能に構成される。
【００４８】
＜変形例＞
図６は、潮位表示画面の他の表示例を示す模式図である。
グラフ表示においては、図６に示すように、潮位を連続的にラインで表示し、例えば、色を変える等で干潮の時間帯（図中、破線で表示）と満潮の時間帯（図中、実線で表示）とを識別表示させる。また、潮位の時間帯に対応させて、潮位のデジタル表示の文字色を変えて表示させる。
また、デジタル表示においては、さらに潮位の表示対象となった地名が表示される。
本例のグラフ表示の潮位は、上述した実施形態とは異なり、表示画面の中心からの半径の大きさが大きい程、潮位が高く、中心からの半径の大きさが小さい程、潮位が低くなるように表示される。即ち、周縁部までの距離が短い程、潮位が高く、周縁部までの距離が長い程、潮位が低くなる。
また、グラフ表示の潮位は、上述した実施形態とは異なり、数値に対応して固定的に表示せずに、表示される潮位のうちで最大潮位と最小潮位から、スケールをノーマライズしたのちに、半径を決定する。
また、満潮と干潮の時刻には、ドットを追加して強調的に表示される。
また、現在時刻には、時計の針を想起させるアイコンが表示され、アイコン色が潮位の時間帯に対応して文字色を変えて表示される。
【００４９】
したがって、携帯端末１では、より時刻と潮位との間の関係性がユーザにとって把握しやすい表示を行うことができる。
また、携帯端末１では、時間軸が周方向に変遷するアナログ時計表示を行う装置の出力部１９における表示領域を有効に活用でき、アナログ時計の時間表示と潮位情報との間に関連性が生じるために、ユーザが潮位を直感的に把握しやすい表示を行うことができる。
【００５０】
以上のように構成される携帯端末１は、日時情報取得部５１及び潮位情報取得部５２と、出力部１９と、出力制御部５４と、を備える。
潮位情報取得部５２は、潮位情報を取得する。
出力部１９は、外周縁に時刻情報に対応する目盛りで表示する。
出力制御部５４は、目盛りで表示した時刻情報に対応付けて、潮位情報取得部５２によって取得された潮位情報を出力部１９に表示させる。
これにより、携帯端末１においては、より時刻と潮位との間の関係性がユーザにとって把握しやすい表示を行うことができる。
【００５１】
出力制御部５４は、潮位情報に基づいて、外周縁に沿って当該潮位情報を連続的に表示させるように出力部１９を制御する。
これにより、携帯端末１においては、直感的に潮位を把握しやすい表示を行うことができる。
【００５２】
出力制御部５４は、潮位情報に基づいて、潮位の高低に応じて、外周縁から所定の距離離れた位置に潮位情報を表示するように出力部１９を制御する。
これにより、携帯端末１においては、直感的に潮位を把握しやすい表示を行うことができる。
【００５３】
出力制御部５４は、出力部１９に所定の時間単位で所定の時刻情報を表示させ、且つ、当該表示される時刻情報の範囲内における干潮又は満潮を時刻に対応して表示させるように出力部１９を制御する。
これにより、携帯端末１においては、時刻に対応して干潮又は満潮のタイミングを把握しやすい表示を行うことができる。
【００５４】
出力制御部５４は、出力部１９の所定位置に現在の時刻情報を表示させ、現在の時刻情報が表示される位置を始点として、時刻経過に対応した目盛りの位置に未来の潮位情報を表示させるように出力部１９を制御する。
これにより、携帯端末１においては、現在の時刻との関係において把握しやすい表示を行うことができる。
【００５５】
出力制御部５４は、時刻情報を外周縁に目盛りで表示させるように出力部１９を制御する。
これにより、携帯端末１においては、任意な位置に時刻情報を外周縁に目盛りで表示することができる。
【００５６】
なお、本発明は、上述の実施形態に限定されるものではなく、本発明の目的を達成できる範囲での変形、改良等は本発明に含まれるものである。
【００５７】
上述の実施形態では、ユーザが任意に潮位を表示する対象となる場所を指定するように構成したが、例えば、ＧＰＳ等により位置情報を取得して、現在地付近の場所を指定するように構成してもよい。また、位置情報から得られる近傍の港単位で潮位を表示する場所を指定するように構成してもよい。
【００５８】
また、上述の実施形態では、潮位の高低を周縁部との距離を変えることで平面的な形状の違い表示するように構成したが、これに限られない。例えば、潮位の高低を線の太さや色の違い（濃淡）で表示するように構成してもよい。
【００５９】
また、上述の実施形態では、出力部１９に都度、潮位表示画面のパーツを描画していくように構成したが、表示する画像を一時に生成して表示するように構成してもよい。また、携帯端末１や外部サーバにおいては画像の生成のみ行って、他の装置で画像の表示のみを行うように構成してもよい。
【００６０】
また、上述の実施形態では、潮位の変化を静的な表示で行うように構成したが、潮位の変化に基づいて、描画の変化やアニメーション等で動的に表示するように構成してもよい。
【００６１】
また、上述の実施形態では、時刻に対応した潮位を表示するように構成したが、所定の潮位において、例えば、干潮・満潮が現在の潮位と比較するように重複して表示させるように構成してもよい。また、重複表示のポイントを複数設けるように構成してもよい。
【００６２】
また、上述の実施形態では、各時刻に対応する潮位情報がない場合や時刻の刻みよりも大きな刻みでしか潮位情報がない場合には、潮位情報の刻みを優先して構成してもよいし、前後の時刻の潮位情報から、必要な時刻の潮位情報を推定するように構成してもよい。具体的には、例えば、１時間毎の潮位情報しかない場合に、それ以上の刻みで表示するために、前後の時刻の潮位情報を用いて、該当する時刻の潮位情報を補間する。潮位は、満潮干潮間で潮位が一定の方向（高低）になだらかにシフトするため、必要な時刻の潮位を単純に補間しても大きく異なった潮位となることがない。
具体的には、例えば、取得される潮位情報間の潮位情報を推定する推定手段を、さらに備える。出力制御部５４は、推定手段によって推定した潮位情報に基づいて、前記潮位情報を前記表示手段に表示させることができる。
【００６３】
また、上述の実施形態では、周縁部を円形形状に構成したが、周縁部と潮位の把握を容易にするために、確認を行う潮位の時刻に対応する箇所が略矩形形状になるように構成してもよい。また、周形状であればよく、円形に限らずに種々の形状で構成可能である。
【００６４】
また、上述の実施形態では、時刻のインデックスの刻みを２時間置きの２４時間としたが、任意に設定することが可能であり、例えば、１２時間としたり、刻みを一時間毎にしたり、特定の時刻（０時・３時・６時・９時の時刻だけ）にしたりして表示させるように構成してもよい。
具体的には、例えば、出力制御部５４は、所定の時刻、又は、所定の間隔で潮位情報を前記表示手段に表示させることができる。
【００６５】
また、上述の実施形態では、潮位スケールを各時刻において連続的に表示するように構成したが、例えば、点描するようにしたり、所定の時刻間隔で表示したりするように構成してもよい。
【００６６】
また、上述の実施形態では、潮位表示全体を出力部１９の表示面を用いて構成するように構成したが、例えば、時間の目盛りを出力部１９の表示面の外方に配置してハードウェアからなる物理的な実体として表示させるように構成してもよい。また、時計表示に用いられていたインデックスを利用して、時間の目盛り表示としてもよい。また、目盛りは出力部１９内ではなく、出力部１９の周囲に別途設けてもよい。
【００６７】
また、上述の実施形態では、日時情報や潮位情報を自機の計時部１７や記憶部２０から取得するように構成したが、外部装置から取得するように構成してもよい。
【００６８】
また、上述した実施形態では、潮位表示のみを表示させるように構成してもよいし、デジタル表示以外の他の表示と組み合わせて表示させるように構成してもよい。また、潮位表示では、満潮干潮のアイコンのみを表示させるように構成してもよいし、潮位のレベルのみを表示させるように表示してもよい。また、平均の潮位レベルを表示したり、外縁と同じ意味合いをなす基準となる潮位レベルを表示したりしてもよい。
【００６９】
また、上述の実施形態では、本発明が適用される携帯端末１は、スマートウォッチを例として説明したが、特にこれに限定されない。
例えば、本発明は、潮位表示画面描画処理機能を有する電子機器一般に適用することができる。具体的には、例えば、本発明は、ノート型のパーソナルコンピュータ、プリンタ、テレビジョン受像機、ビデオカメラ、デジタルカメラ、携帯型ナビゲーション装置、携帯電話機、スマートフォン、ポータブルゲーム機等に適用可能である。
【００７０】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能が携帯端末１に備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
本実施形態における機能的構成は、演算処理を実行するプロセッサによって実現され、本実施形態に用いることが可能なプロセッサには、シングルプロセッサ、マルチプロセッサ及びマルチコアプロセッサ等の各種処理装置単体によって構成されるものの他、これら各種処理装置と、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）やＦＰＧＡ（Ｆｉｅｌｄ‐Ｐｒｏｇｒａｍｍａｂｌｅ  Ｇａｔｅ  Ａｒｒａｙ）等の処理回路とが組み合わせられたものを含む。
【００７１】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００７２】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部２０に含まれるハードディスク等で構成される。
【００７３】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００７４】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００７５】
以下に、本願の出願当初の特許請求の範囲に記載された発明を付記する。
［付記１］
潮位情報を取得する取得手段と、
外周縁に時刻情報に対応する目盛りを表示する表示手段と、
前記目盛りで表示した前記時刻情報に対応付けて、前記取得手段によって取得された前記潮位情報を前記表示手段に表示させる表示制御手段と、
を備えることを特徴とする電子機器。
［付記２］
前記表示制御手段は、前記潮位情報に基づいて、前記外周縁に沿って前記潮位情報を連続的に表示させるように前記表示手段を制御する、
ことを特徴とする付記１に記載の電子機器。
［付記３］
前記表示制御手段は、前記潮位情報に基づいて、潮位の高低に応じて、前記外周縁から所定の距離離れた位置に、前記潮位情報に対応する画像を表示させるように前記表示手段を制御する、
ことを特徴とする付記１又は２に記載の電子機器。
［付記４］
前記表示制御手段は、前記表示手段に所定の時間単位で前記所定の時刻情報を表示させ、且つ、当該表示される前記時刻情報の範囲内における干潮又は満潮を時刻に対応して表示させるように制御する、
ことを特徴とする付記１乃至３の何れか１つに記載の電子機器。
［付記５］
前記表示制御手段は、前記表示手段の所定位置に現在の時刻情報を表示させ、前記現在の時刻情報が表示される位置を始点として、時刻経過に対応した前記目盛りの位置に未来の潮位情報を表示させるように前記表示手段を制御する、
ことを特徴とする付記１乃至４の何れか１つに記載の電子機器。
［付記６］
前記表示制御手段は、前記時刻情報を外周縁に目盛りで表示させるように前記表示手段を制御する、
ことを特徴とする付記１乃至５の何れか１つに記載の電子機器。
［付記７］
取得される潮位情報間の潮位情報を推定する推定手段を、さらに備え、
前記表示制御手段は、前記推定手段によって前記推定した潮位情報に基づいて、前記目盛りで表示した前記時刻情報に対応付けて、前記潮位情報を前記表示手段に表示させる、
ことを特徴とする付記１乃至６の何れか１つに記載の電子機器。
［付記８］
前記表示制御手段は、所定の時刻、又は、所定の間隔で潮位情報を前記表示手段に表示させる、
ことを特徴とする付記１乃至７の何れか１つに記載の電子機器。
［付記９］
表示手段を備える電子機器で実行される表示制御方法であって、
潮位情報を取得する取得ステップと、
外周縁に時刻情報に対応する目盛りを前記表示手段に表示し、前記目盛りで表示した前記時刻情報に対応付けて、当該取得ステップによって取得された前記潮位情報を前記表示手段に表示させる表示制御ステップと、
を含むことを特徴とする表示制御方法。
［付記１０］
表示手段を備える電子機器を制御するコンピュータを、
潮位情報を取得する取得手段、
外周縁に時刻情報に対応する目盛りを前記表示手段に表示し、前記目盛りで表示した前記時刻情報に対応付けて、当該取得手段によって取得された前記潮位情報を前記表示手段に表示させる表示制御手段、
として機能させることを特徴とするプログラム。
【符号の説明】
【００７６】
１・・・携帯端末，１１・・・ＣＰＵ，１２・・・ＲＯＭ，１３・・・ＲＡＭ，１４・・・バス，１５・・・入出力インターフェース，１６・・・撮像部，１７・・・計時部，１８・・・入力部，１９・・・出力部，２０・・・記憶部，２１・・・通信部，２２・・・ドライブ，３１・・・リムーバブルメディア，５１・・・日時情報取得部，５２・・・潮位情報取得部，５３・・・潮位スケール決定部，５４・・・出力制御部，７１・・・潮位情報記憶部，７２・・・画面構成画像記憶部
【図１】
2018004385.tif 000003
【図２】
2018004385.tif 000004
【図３】
2018004385.tif 000005
【図４】
2018004385.tif 000006
【図５】
2018004385.tif 000007
【図６】
2018004385.tif 000008